(57)【要約】      （修正有）【課題】立体巻鉄心の開放型乾式変圧器における上部プレスブロックの固定構造を提供する。【解決手段】３つの縦型に配置されるコイル１を含む。３つのコイル１は三角形に配列し、それぞれのコイル１の上端部に絶縁リング２を設置する。それぞれの絶縁リング２の上表面に、コイルを締め付けるプレスブロック３を据え置き、プレスブロック３の上方に上部クランプ４を設置する。上部クランプ４の底端面に、プレスブロック３を締め付けるプレススタッド４０を設置する。【選択図】図１
2016046506.tif 000002
【特許請求の範囲】
【請求項１】
立体巻鉄心の開放型乾式変圧器における上部プレスブロックの固定構造であって、３つの縦型に配置されるコイル（１）を含み、３つのコイル（１）が三角形に配列し、それぞれのコイル（１）の上端部に絶縁リング（２）を設置し、それぞれの絶縁リング（２）の上表面に、コイル（１）を締め付けるプレスブロック（３）を据え置き、前記プレスブロック（３）の上方に上部クランプ（４）を設置し、当該上部クランプ（４）の底端面に、前記プレスブロック（３）を締め付けるプレススタッド（４０）を設置することを特徴とする、固定構造。
【請求項２】
前記それぞれのコイル（１）に４つのプレスブロック（３）を対応して設置し、４つのプレスブロック（３）が絶縁リング（２）の上表面に均等に分布し、隣接する２つのプレスブロック（３）の間の夾角が９０°であることを特徴とする、請求項１に記載の立体巻鉄心の開放型乾式変圧器における上部プレスブロックの固定構造。
【請求項３】
前記絶縁リング（２）が、半円状を呈する２つの絶縁半リングを相互につなぎ合わせて形成され、前記プレスブロック（３）が、２つの絶縁半リングの接合位置部分を締め付けることを特徴とする、請求項１または２に記載の立体巻鉄心の開放型乾式変圧器における上部プレスブロックの固定構造。
【請求項４】
前記上部クランプ（４）が中空の六角形フレームであり、当該六角形フレームの中間位置部分に、その下方のプレスブロック（３）を締め付けるプレスブロック固定板（４１）を設置し、前記プレスブロック固定板（４１）の横板（４１０）が上に持ち上がり、それによりその水平の高さがコイル鉄心上端部の水平の高さより高くなり、当該横板（４１０）の下端面にその下方のプレスブロック（３）を締め付けるプレススタッド（４０）を設置することを特徴とする、請求項１に記載の立体巻鉄心の開放型乾式変圧器における上部プレスブロックの固定構造。
【請求項５】
前記横板（４１０）に設置するプレススタッドの長さが、上部クランプ（４）に設置するプレススタッドの長さより長いことを特徴とする、請求項４に記載の立体巻鉄心の開放型乾式変圧器における上部プレスブロックの固定構造。
【発明の詳細な説明】
【技術分野】
【０００１】
本発明は変圧器分野に関し、特に立体巻鉄心の開放型乾式変圧器における上部プレスブロックの固定構造である。
【背景技術】
【０００２】
周知のように、立体巻鉄心の開放型乾式変圧器は非密閉構造である。鉄心およびコイルが立体三角形に配列し、その周囲のクッションブロックの固定は、直接、三角形フレームの締付により行うことができる。しかし、その三角部分の締付方法は特に重要であり、変圧器の耐ショート性を保証するために、締付力の大きさを考慮する必要もあり、コイルの絶縁距離が増加しないように、いかにして締め付けるかを考慮する必要もある。現在、比較的普及しているのは、変圧器の三角領域の中心に１本のボルトを採用し、下部クランプにより上部のプレスブロックを引き締める方法である。この種の構造の欠点は、ボルトを３つのコイルの中心で引き締めるため、コイル間の絶縁距離を増加させる必要があることであり、なおかつ引き締めるボルトの絶縁処理は、変圧器の質に対しても非常に重要な影響を及ぼす。この立体巻鉄心の開放型変圧器における三角領域のプレスブロックを固定するために、さらなる改善が必要である。
【発明の概要】
【発明が解決しようとする課題】
【０００３】
上記問題を解決するため、本発明の目的は、構造が簡単で、変圧器の三角領域のプレスブロックを固定することができると同時に、コイル間の絶縁距離が増加せず、変圧器の耐ショート性を保証する固定構造を提供することである。
【課題を解決するための手段】
【０００４】
本発明において、その技術的問題を解決するために採用した技術案は次の通りである。
【０００５】
立体巻鉄心の開放型乾式変圧器における上部プレスブロックの固定構造は、３つの縦型に配置されるコイルを含む。３つのコイルは三角形に配列し、それぞれのコイルの上端部に絶縁リングを設置する。それぞれの絶縁リングの上表面に、コイルを締め付けるプレスブロックを据え置き、上記プレスブロックの上方に上部クランプを設置する。当該上部クランプの底端面に、上記プレスブロックを締め付けるプレススタッドを設置する。
【０００６】
上記技術案の改良として、上記それぞれのコイルに４つのプレスブロックを対応して設置する。４つのプレスブロックは絶縁リングの上表面に均等に分布し、隣接する２つのプレスブロックの間の夾角は９０°である。
【０００７】
上記技術案のさらなる改良として、上記絶縁リングは半円状を呈する２つの絶縁半リングを相互につなぎ合わせて形成される。上記プレスブロックは、２つの絶縁半リングの接合位置部分を締め付ける。
【０００８】
好ましくは、上記上部クランプは中空の六角形フレームであり、当該六角形フレームの中間位置部分に、その下方のプレスブロックを締め付けるプレスブロック固定板を設置する。上記プレスブロック固定板の横板は上に持ち上がり、それによりその水平の高さがコイル鉄心上端部の水平の高さより高くなる。当該横板の下端面に、その下方のプレスブロックを締め付けるプレススタッドを設置する。
【０００９】
さらに、上記横板に設置するプレススタッドの長さは、上部クランプに設置するプレススタッドの長さより長い。
【発明の効果】
【００１０】
本発明の有益な効果は次の通りである。本発明は上部クランプが上記プレスブロックを締め付け、その後プレスブロックがさらにコイルを締め付けることにより、コイルのゆるみを防止し、コイルの耐衝撃性を保証する。さらに、下部クランプがボルトを利用して引き締めることによって、コイルのプレスブロックを締め付けることを必要としないため、３つのコイル間の相間距離が増加せず、コイル間の絶縁距離が増加しないことを保証する。このほか、それぞれのコイルに４つのプレスブロックを均等に配置し、コイルに加わる圧力をより均等にすることができ、そのためコイルをより良好に締め付けることができる。
【図面の簡単な説明】
【００１１】
以下に添付図および具体的な実施方式を組み合わせて、本発明についてさらに詳細に説明を行う。
【図１】図１は、本発明の構造概要図である。
【図２】図２は、本発明における上部クランプの部品図である。
【図３】図３は、本発明におけるプレスブロック固定板の部品図である。
【発明を実施するための形態】
【実施例１】
【００１２】
図１から図３を参照されたい。立体巻鉄心の開放型乾式変圧器における上部プレスブロックの固定構造は、縦型に配置される３つのコイル１を含む。３つのコイル１は三角形に配列し、それぞれのコイル１の上端部に絶縁リング２を設置し、それぞれの絶縁リング２の上表面にコイル１を締め付けるプレスブロック３を据え置く。上記絶縁リング２の主な作用は、コイル１を締め付けることであり、コイル１が立体に配置されるため、絶縁リング２を２つの半リングにして設置し、取付けを便利にする必要がある。本発明において、好ましくは、上記絶縁リング２は半円状を呈する２つの絶縁半リングを相互につなぎ合わせて形成され、上記プレスブロック３は２つの絶縁半リングの接合位置部分または重ね継ぎ位置部分を締め付ける。上記プレスブロック３の上方に上部クランプ４を設置し、当該上部クランプ４の底端面に上記プレスブロック３を締め付けるプレススタッド４０を設置する。本発明は、上部クランプ４が上記プレスブロック３を締め付け、その後プレスブロック３がさらにコイル１を締め付けることにより、コイル１のゆるみを防止し、コイル１の耐衝撃性を保証する。さらに、下部クランプがボルトを利用して引き締めることによって、コイル１のプレスブロック３を締め付けることを必要としないため、３つのコイル１間の相間距離が増加せず、コイル間の絶縁距離が増加しないことを保証する。
【００１３】
コイル１がプレスブロック３から受ける圧力をより均等にするため、好ましくは、上記それぞれのコイル１に４つのプレスブロック３を対応して設置する。４つのプレスブロック３は絶縁リング２の上表面に均等に分布し、隣接する２つのプレスブロック３の間の夾角は９０°である。４つのプレスブロック３が１つのコイル１を均等に締め付けるため、コイル１の上端部が受ける圧力はより均等になり、ある一側に反り上がることはなく、プレスブロック３の締付効果を保証する。
【００１４】
生産、加工および取付けを便利にするため、好ましくは、上記上部クランプ４は中空の六角形フレームであり、当該六角形フレームの中間位置部分に、その下方のプレスブロック３を締め付けるプレスブロック固定板４１を設置する。本発明において、上記プレスブロック固定板４１は溶接またはボルト接続の方式により、上部クランプ４に固定することができる。上記プレスブロック固定板４１の横板４１０が上に持ち上がり、それによりその水平の高さがコイル鉄心上端部の水平の高さより高くなる。当該横板４１０の下端面に、その下方のプレスブロック３を締め付けるプレススタッド４０を設置する。上記プレスブロック固定板４１は変圧器の大きさに基づき、鋼板を屈曲させ、さらに溶接して形成することを選択してもよく、アングル溶接を採用して形成してもよい。プレスブロック固定板４１が、その下方のプレスブロック３に位置を合わせて締付を行う作用を保証するため、好ましくは、上記横板４１０に設置されるプレススタッドの長さは、上部クランプ４に設置されるプレススタッドの長さより長い。本発明において、上記プレススタッド４０の大きさ、サイズは実際の需要に基づいて決定し、実際の状況に基づいて、ボルトの直径が比較的大きいプレススタッド４０を選択することができる。そのため、上記プレスブロック３をより良好に押し付けることができ、プレスブロック３のコイル１に対する締付作用を保証する。
【００１５】
３つのコイル１の間に取り囲まれて１つの等辺三角形領域が形成されるため、プレスブロック固定板４１の横板４１０の中部にも１つの等辺三角形が形成される。当該等辺三角形の３つの辺に、その下方のプレスブロック３を締め付けるプレススタッド４０をそれぞれ設置し、当該等辺三角形の３つの辺の下方に位置する３つのプレスブロック３は、３つのコイル１をそれぞれ締め付ける。
【００１６】
以上の記載は本発明の好ましい実施方式に過ぎず、基本的に同様の手段であれば、本発明の目的を実現する技術案は、いずれも本発明の保護範囲内に属する。
【符号の説明】
【００１７】
１：コイル
２：絶縁リング
３：プレスブロック
４：上部クランプ
４０：プレススタッド
４１：プレスブロック固定板
【図１】
2016046506.tif 000003
【図２】
2016046506.tif 000004
【図３】
2016046506.tif 000005